(57)【特許請求の範囲】
【請求項１】
ステープルと、前記ステープルを整列して載置するレールと、前記ステープルを打ち出す機構と、を内部に備えるマガジンと、
前記ステープルを打ち出す機構を作動させるレバーと、
前記マガジン及び前記レバーを挟み込んで結合するハウジングと、を有する医療用ステープラーであって、
前記ハウジングの内面には、前記ハウジングの開口部から連通する直線形状の位置決め部と、前記マガジンを係止する係止部と、を備え、
前記マガジンの表面で前記ハウジングの内面に接する面には、前記ハウジングの位置決め部の形状に合致する位置決め部と、前記ハウジングの係止部の形状に合致する係止部と、を備え、
前記ハウジングの位置決め部と前記マガジンの位置決め部を合わせてガイドとしつつ、前記ハウジングの係止部と前記マガジンの係止部とを嵌合することによって、前記ハウジングと前記マガジンとが結合されていることを特徴とする医療用ステープラー。
【請求項２】
前記ハウジングの内面には、位置決め部として前記ハウジングの開口部から連通する直線溝形状の位置決め用凹部と、係止部として前記マガジンを係止する係止用凹部と、を備え、
前記マガジンの表面で前記ハウジングの内面に接する面には、位置決め部として前記位置決め用凹部の形状に合致する位置決め用凸部と、係止部として前記係止用凹部の形状に合致する係止用凸部と、を備えていることを特徴とする請求項１に記載の医療用ステープラー。
【請求項３】
前記係止用凸部は、前記位置決め用凸部よりも短く、かつ、前記位置決め用凸部とは異なる方向を向いている直線形状であることを特徴とする請求項２に記載の医療用ステープラー。
【請求項４】
前記位置決め用凸部と前記係止用凸部の前記レールの長手方向に対する鋭角側の傾斜角度が、１５゜〜７５゜であることを特徴とする請求項３に記載の医療用ステープラー。
【請求項５】
前記ハウジングの内面には、前記係止用凸部と前記係止用凹部との嵌合の際に、前記係止用凸部と前記ハウジングの開口部とが当接する位置に補助凹部を備え、
前記補助凹部は、前記ハウジングの開口部の位置では前記係止用凸部が収まる深さであり、前記係止用凹部に向かって浅くなる傾斜面を有していることを特徴とする請求項２から４のいずれかに記載の医療用ステープラー。
【請求項６】
前記係止用凸部が、嵌合の際に移動方向の前側になる部分に傾斜面を有していることを特徴とする請求項２から５のいずれかに記載の医療用ステープラー。
【発明の詳細な説明】
【技術分野】
【０００１】
本発明は医療用ステープラーに関し、特にその組立において、マガジンとハウジングとの結合を容易にした医療用ステープラーに関する。
【背景技術】
【０００２】
外科手術において、切開された生体組織を縫合するために医療用ステープラーが用いられることがある。医療用ステープラーには、特許文献１に記載されているように、ハウジングと、ハウジングに回動可能に装着されたレバーと、ハウジングに着脱自在に装着され、複数のステープルを収容するマガジンと、から構成されるものがある。図６は、従来の医療用ステープラーを示す図であり、（ａ）は全体の側面図、（ｂ）はマガジンの側面図である。なお、図６（ａ）に示した従来の医療用ステープラー２０では、レバー３はハウジング１に回動可能に装着されているが、マガジン２とレバー３とを回動可能に結合したものをハウジング１に装着するものもある。
【０００３】
マガジン２は、ステープルの打ち出し機構として、マガジン２内に固定されたレールの先端を細くして湾曲させて形成したアンビルと、アンビルの先端位置に向かって進退可能に配置されたラムと、ラムをアンビルの先端から離れる方向に付勢する付勢部材と、を有している。そして、レールの上には、所定の数のステープルが整列配置され、これらのステープルは、弾性部材によりレールの先端のアンビルに向けて付勢されている。
【０００４】
ステープルは、ステンレス鋼の丸い線材をコ字状に折曲して形成されており、両端部分が生体組織を刺通する際の抵抗を小さくするために尖った脚部として形成されている。そして、レバー３に力を加えることで、ラムがレバー３によって駆動されて下降し、アンビル上に支持されたステープルにラムの先端が当接する。さらにレバー３に力を加えてラムを下降させると、ステープルは四角形に折り曲げられ、生体組織を縫合することができる。
【０００５】
ここで、ハウジング１及びレバー３はＡＢＳ樹脂等の合成樹脂製で、把持し易さや操作性を考慮した形状に成形されている。また、マガジン２は、一般的には透明なＡＢＳ樹脂によって成形されており、収容されているステープルの残数を外部から確認することができるようになっている。
【０００６】
このような従来の医療用ステープラー２０におけるマガジン２とハウジング１との結合は、マガジン２に設けられた係止用凸部２ｂとハウジング１に設けられた係止用凹部１ｂとを嵌合することによって行われる。ここで、従来の係止用凹１ｂ及び係止用凸部２ｂは、図示したように直線形状であって、ステープルが載置されているレールの方向と平行に設けられている。
【０００７】
ここで、ハウジング１とマガジン２との結合が緩ければ、簡単に外れてしまう危険性があるため、マガジン２の厚さは、ハウジング１の内面の間の幅にぴったり収まるように形成されていて、さらにハウジング１の剛性は高くなっている。そうすると、係止用凸部２ｂがハウジング１の内面の間の幅よりも突出していることになり、ハウジング１とマガジン２との結合は容易ではない。また、組立後のガタつきを低減するためには、係止用凹部１ｂ及び係止用凸部２ｂはできるだけ隙間なく合致し、さらに、ある程度長い方が望ましいのだが、あまり長くすると結合が一層困難になる。
【先行技術文献】
【特許文献】
【０００８】
【特許文献１】特開２００６−３０５１３６号公報
【発明の概要】
【発明が解決しようとする課題】
【０００９】
従来のようにハウジングとマガジンとの結合が困難だと、組立に長時間を要し、製造効率が悪く、コスト増加にも繋がる。
【００１０】
そこで、本発明は、斯かる実情に鑑み、マガジンとハウジングとの結合が容易でありながら、強固に組立てられた医療用ステープラーを提供しようとするものである。
【課題を解決するための手段】
【００１１】
本発明の医療用ステープラーは、ステープルと、そのステープルを整列して載置するレールと、ステープルを打ち出す機構と、を内部に備えるマガジンと、ステープルを打ち出す機構を作動させるレバーと、マガジン及びレバーを挟み込んで結合するハウジングと、を有する医療用ステープラーであって、ハウジングの内面には、ハウジングの開口部から連通する直線形状の位置決め部と、前記マガジンを係止する係止部と、を備え、マガジンの表面でハウジングの内面に接する面には、ハウジングの位置決め部の形状に合致する位置決め部と、ハウジングの係止部の形状に合致する係止部と、を備え、ハウジングの位置決め部とマガジンの位置決め部を合わせつつ、ハウジングの係止部とマガジンの係止部とを嵌合することによって、ハウジングとマガジンとが結合されていることを特徴とするものである。
【００１２】
ここで、ハウジングの内面には、位置決め部としてハウジングの開口部から連通する直線溝形状の位置決め用凹部と、係止部としてマガジンを係止する係止用凹部と、を備え、マガジンの表面で前記ハウジングの内面に接する面には、位置決め部として位置決め用凹部の形状に合致する位置決め用凸部と、係止部として係止用凹部の形状に合致する係止用凸部と、を備えている構成としたり、係止用凸部は、位置決め用凸部よりも短く、かつ、位置決め用凸部とは異なる方向を向いている直線形状であることにしたり、位置決め用凸部と係止用凸部のレールの長手方向に対する鋭角側の傾斜角度を１５゜〜７５゜にすることができる。
【００１３】
また、ハウジングの内面には、係止用凸部と係止用凹部との嵌合の際に、係止用凸部とハウジングの開口部とが当接する位置に補助凹部を備え、その補助凹部は、ハウジングの開口部の位置では係止用凸部が収まる深さであり、係止用凹部に向かって浅くなる傾斜面を有していることにしたり、係止用凸部が、嵌合の際に移動方向の前側になる部分に傾斜面を有していることにすると良い。
【発明の効果】
【００１４】
本発明の医療用ステープラーによれば、マガジンとハウジングとの結合が容易なので、医療用ステープラーの製造効率を向上させることができるという優れた効果を奏する。
【図面の簡単な説明】
【００１５】
【図１】本発明の医療用ステープラーの三面図で、（ａ）は上面図、（ｂ）は側面図、（ｃ）は正面図である。
【図２】ハウジングを示す図で、（ａ）は側方断面図、（ｂ）は下面図である。
【図３】マガジンの側面図である。
【図４】（ａ）から（ｄ）は、補助凹部を使った嵌合の様子を説明する図である。
【図５】ハウジングとマガジンとが結合する様子を示す実施例の側面図であり、（ａ）は図１〜３に示した実施例、（ｂ）は位置決め部と係止部の位置を入れ替えた場合の実施例、（ｃ）は係止部を円形とした実施例である。
【図６】従来の医療用ステープラーを示す図であり、（ａ）は全体の側面図、（ｂ）はマガジンの側面図である。
【発明を実施するための形態】
【００１６】
以下、本発明の実施の形態を添付図面を参照して説明する。
【００１７】
図１は、本発明の医療用ステープラーの三面図で、（ａ）は上面図、（ｂ）は側面図、（ｃ）は正面図である。医療用ステープラー１０は、おおまかに分けると、マガジン２と、レバー３と、ハウジング１とによって構成されている。
【００１８】
ハウジング１は、マガジン２及びレバー３を側方から挟み込んで、一体となるように結合する。また、ハウジング１の一部は、医療用ステープラー１０の持ち手部分となり、レバー３と共に把持することで、ステープル４を打ち出す。
【００１９】
マガジン２は、複数のステープル４と、そのステープルを整列して載置するレール５と、ステープルを打ち出す機構と、を内部に備えている。ステープルを打ち出す機構は、レバー３を握るとコの字状のステープル４が四角形に折り曲げられ、患部を縫合する機構になっている。
【００２０】
図２は、ハウジングを示す図で、（ａ）は側方断面図、（ｂ）は下面図である。また、図３は、マガジンの側面図である。ハウジング１の内面には、位置決め用凹部１ａ及び係止用凹部１ｂが設けられ、マガジン２の表面でハウジング１の内面に接する面には、それぞれに合致する位置決め用凸部２ａ及び係止用凸部２ｂが設けられている。さらに、ハウジング１に補助凹部１ｃを設けることもある。なお、これらの凹凸部は、マガジン２を挟み込む両面に設けても良いし、ハウジング１やマガジン２の剛性が高く容易に外れないならば片面に設けるだけでも良い。
【００２１】
位置決め用凹部１ａはハウジング１の開口部から連通する直線溝形状であり、マガジン２に設けられた位置決め用凸部２ａを開口部側から挿入し、ハウジング１とマガジン２とを結合する際のガイドとして機能する。さらに、結合が終わった完成形のときには、係止部材としての機能も有する。
【００２２】
係止用凹部１ｂは、係止用凸部２ｂと嵌合して、ハウジング１とマガジン２とを結合する。係止用凸部２ｂの形状を直線形状にするときは、位置決め用凸部２ａよりも短く、かつ、異なる方向を向いているように設けることが必要である。位置決め用凸部２ａよりも長ければ、係止用凸部２ｂがハウジング１に先に当接し、位置決め用凹部１ａに位置決め用凸部２ａを挿入することができないからである。また、係止用凸部２ｂと位置決め用凸部２ａとが平行の場合は、その方向にマガジン２を動かせば容易にハウジング１から外すことができることになるので、異なる方向を向いている必要がある。なお、好ましくは、ステープル４を載置するレールの長手方向に対する鋭角側の傾斜角度α、βが、位置決め用凸部２ａと係止用凸部２ｂとも１５゜〜７５゜とし、かつ、位置決め用凸部２ａと係止用凸部２ｂを仮想的に延長した場合の交叉角度が３０°〜１３５°とすれば良い。これは、ステープル４が打ち出される方向に直角に近い角度で凸部が配置されている方が、ガタつき低減の面からは望ましいことと、位置決め用凸部２ａと係止用凸部２ｂが直角に近い向きになっていれば、一方の長手方向に力が働いたときに、他方は直線の長さ全体で抵抗できるという利点があるためである。
【００２３】
このような位置決め用凹部１ａ及び位置決め用凸部２ａと係止用凹部１ｂ及び係止用凸部２ｂであれば、結合された状態のときは、両方の凹凸部が嵌合しているため、容易に外れない構造となっている。従来では、嵌合する凹凸部が１箇所だけだったため、ある程度の長さがなければ不安定になりやすく、そのため、凹凸部を長くすると嵌合が困難になるという不都合があった。これに対し、本発明では、位置決め用凸部２ａを長くしても嵌合が困難にはならないので、十分に長くすることができ、結合を強固にすることができる。
【００２４】
また、より嵌合し易くするために、ハウジング１の内面で、嵌合の際に係止用凸部２ｂとハウジング１の開口部とが当接する位置に、補助凹部１ｃを設けても良い。つまり、補助凹部１ｃは、係止用凸部２ｂがハウジング１の内側に入り込みやすくするために設ける凹部である。
【００２５】
図４の（ａ）から（ｄ）は、補助凹部１ｃを使った嵌合の様子を説明する図である。図４（ａ）は、ハウジング１の内面とマガジン２の表面とが接触した状態でマガジン２をスライドさせている状態である。ここで、補助凹部１ｃは、ハウジング１の開口部での位置では係止用凸部２ｂが収まる深さであり、そこから係止用凹部１ｂに向かって深さが浅くなる補助凹部の傾斜面１ｃ１を有している。また、係止用凸部２ｂは、移動方向の前側になる部分に係止用凸部の傾斜面２ｂ１を有している。図４（ｂ）は、補助凹部１ｃに係止用凸部２ｂがちょうど収まっている状態である。さらに、ここからマガジン２を押し込むと図４（ｃ）のように、ハウジング１が変形した状態になる。補助凹部の傾斜面１ｃ１及び係止用凸部の傾斜面２ｂ１は、嵌合をよりスムーズに行うのに役立ち、特に、両方に傾斜面を設けているため、図示したように、それぞれの傾斜面がより有効に働くことになる。さらにマガジン２を押し込むと図４（ｄ）のように、係止用凸部２ｂが係止用凹部１ｂに収まった状態となる。ここで、マガジン２を引き抜く方向には傾斜面がないので、容易には外れにくくなっている。
【００２６】
図５は、ハウジング１とマガジン２とが結合する様子を示す実施例の側面図であり、（ａ）は図１〜３に示した実施例、（ｂ）は位置決め部と係止部の位置を入れ替えた場合の実施例、（ｃ）は係止部を円形とした実施例である。
【００２７】
マガジン２のステープル４が打ち出される側をマガジン２の前側とすると、図５（ａ）は、前側に位置決め用凹部１ａ及び位置決め用凸部２ａを設け、後側に係止用凹部１ｂ及び係止用凸部２ｂを設けた例である。図５（ｂ）は、図５（ａ）とは反対に、マガジン２の前側に係止用凹部１ｂ及び係止用凸部２ｂを設け、後側に位置決め用凹部１ａ及び位置決め用凸部２ａを設けた例である。このとき、マガジン２は、位置決め用凹部１ａの向きに沿って動かして結合することから、図５（ａ）と図５（ｂ）とでは、マガジン２を押し込む向きが異なることになる。さらに、レールの長手方向に対する傾斜角の鋭角側を図５（ａ）及び図５（ｂ）とは逆にし、位置決め用凹部１ａ及び位置決め用凸部２ａと、係止用凹部１ｂ及び係止用凸部２ｂの向きを互いに内向きにすることも可能である。この場合もマガジン２を押し込む向きが異なることになる。このように、マガジン２を押し込む向きは、位置決め用凹部１ａ及び位置決め用凸部２ａの向きによって決まる。
【００２８】
図５（ｃ）は、係止用凹部１ｂ及び係止用凸部２ｂの形状を円形にした例である。このように係止用凹部１ｂ及び係止用凸部２ｂの形状は、強固に嵌合できるものであれば、特に直線形状に限定するものではなく、円形やその他の形状にしても良い。
【００２９】
また、本実施例ではマガジン２に位置決め用凸部２ａ及び係止用凸部２ｂを、ハウジング１に位置決め用凹部１ａ及び係止用凹部１ｂ及び補助凹部１ｃをそれぞれ設ける構成としたが、それぞれの凹凸を逆にして、ハウジング１に位置決め用凸部２ａ及び係止用凸部２ｂを、マガジン２に位置決め用凹部１ａ及び係止用凹部１ｂ及び補助凹部１ｃをそれぞれ設ける構成としても良いことは勿論である。
【符号の説明】
【００３０】
１            ハウジング
１ａ          位置決め用凹部
１ｂ          係止用凹部
１ｃ          補助凹部
１ｃ１        補助凹部の傾斜面
２            マガジン
２ａ          位置決め用凸部
２ｂ          係止用凸部
２ｂ１        係止用凸部の傾斜面
３            レバー
４            ステープル
５            レール
１０，２０    医療用ステープラー
【図１】
0005628542.tif 000002
【図２】
0005628542.tif 000003
【図３】
0005628542.tif 000004
【図４】
0005628542.tif 000005
【図５】
0005628542.tif 000006
【図６】
0005628542.tif 000007